(57)【要約】【課題】画像形成装置の機能設定の情報を記憶し、記憶した設定情報を呼び出して、現在の設定情報に上書きするものがあるが、呼び出し後に設定値の変更を行う場合、煩雑な操作が必要になる。一方、様々な設定値を組み合わせたデータを予め用意して個別に登録する場合でも、登録数が増えて選択操作が負担になっていた。【解決手段】再呼び出しする第１の画面と、再呼び出ししない第２の画面とを表示する表示部１３と、第１の画面で設定した第１の設定値と、第２の画面で設定した第２の設定値と、第１の画面情報とを有する設定情報を、設定情報登録名を付けて記憶する設定情報記憶部１６と、記憶されている設定情報登録名を選択するタッチパネル１２と、各部を制御する表示制御部１４とを有し、設定情報登録名が選択された場合、第１の画面に対応する再表示画面のみを表示部１３に表示し、第１の設定値の再設定を促す。【選択図】図１
2018207188.tif 000002
【特許請求の範囲】
【請求項１】
所定機能を実行する過程において、設定を行うための複数の画面から、再呼び出しの対象とする第１の画面を指定し、前記第１の画面に第１の名称を付けて登録する第１のステップと、
前記第１の名称が選択されたとき、前記第１の画面に基づいて形成された再表示画面のみを表示し、前記再表示画面での再設定を促す第２のステップと、
前記所定機能の実行が指示されたとき、前記所定機能を実行する第３のステップと
を有することを特徴とする画像形成方法。
【請求項２】
前記第１のステップでは、前記第１の画面で設定した第１の設定値と、前記第１の画面の第１の画面情報とを有する設定情報に、前記第１の名称を付け、
前記第２のステップでは、前記再表示画面での前記第１の設定値の再設定を促す
ことを特徴とする請求項１記載の画像形成方法。
【請求項３】
前記設定情報には、前記再表示画面のみを表示し、前記第１の設定値の再設定を促す処理を実行するための表示指令情報が含まれ、前記第１の名称が選択されたとき、前記表示指令情報に基づいて前記第２のステップが実行されることを特徴とする請求項２記載の画像形成方法。
【請求項４】
前記設定情報には、前記再呼び出しの対象としない第２の画面で設定した第２の設定値を含むことを特徴とする請求項２又は３に記載の画像形成方法。
【請求項５】
前記設定情報は、デフォルト値のままの第３の設定値を含むことを特徴とする請求項４記載の画像形成方法。
【請求項６】
前記第１の設定値又は前記第２の設定値が、対応するデフォルト値から変更されている場合、前記所定機能の待機画面において、設定値が変更された設定項目に対応する設定表示部に変更マークを付す第４のステップ
を有することを特徴とする請求項４又は５に記載の画像形成方法。
【請求項７】
前記第１のステップにおいて、前記第１の画面を登録する前に前記設定情報の内容を表示し、ユーザーに確認するステップを有することを特徴とする請求項２から６の何れかに記載の画像形成方法。
【請求項８】
前記再表示画面には、次に表示する表示画面を指定するための操作ボタンと、画面ページが表示されることを特徴とする請求項１から７までの何れかに記載の画像形成方法。
【請求項９】
所定機能を実行する過程において設定を行うための画面であって、再呼び出しの対象とする第１の画面と、再呼び出しの対象としない第２の画面とを表示する表示部と、
前記第１の画面で設定した第１の設定値と、前記第２の画面で設定した第２の設定値と、前記第１の画面の第１の画面情報とを有する設定情報を、第１の名称を付けて記憶する記憶部と、
前記記憶に記憶されている前記第１の名称を選択する選択部と、
前記表示部、前記記憶部、及び前記選択部における処理を制御する制御部と
を有し、
前記制御部は、前記選択部で前記記憶部に記憶されている前記第１の名称が選択された場合、前記第１の画面に基づいて形成された再表示画面のみを前記表示部に表示し、前記再表示画面での前記第１の設定値の再設定を促すことを特徴とする画像形成装置。
【請求項１０】
前記設定情報には、前記再表示画面のみを表示し、前記第１の設定値の再設定を促す処理を実行するための表示指令情報が含まれ、
前記制御部は、前記選択部で前記記憶部に記憶されている前記第１の名称が選択された場合、前記表示指令情報に基づいて処理を実行することを特徴とする請求項９記載の画像形成装置。
【請求項１１】
前記制御部は、前記第１の設定値及び前記第２の設定値が、対応するデフォルト値から変更されている場合、前記所定機能の待機画面において、設定値が変更された設定項目に対応する設定表示部に変更マークを付すことを特徴とする請求項９又は１０に記載の画像形成装置。
【請求項１２】
前記設定情報は、デフォルト値のままの第３の設定値を含むことを特徴とする請求項９から１１までの何れかに記載の画像形成装置。
【請求項１３】
前記所定機能の実行が指示されたとき、前記第１の設定値と前記第２の設定値と前記第３の設定値に基づいて前記所定機能を実行することを特徴とする請求項１２記載の画像形成装置。
【請求項１４】
前記制御部は、前記設定情報の内容を前記表示部に表示することを特徴とする請求項９から１３までの何れかに記載の画像形成装置。
【発明の詳細な説明】
【技術分野】
【０００１】
本発明は、画像形成装置に関し、特に装置が搭載する機能の設定値情報を、登録したり呼び出したりすることができる画像形成方法及び画像形成装置に関する。
【背景技術】
【０００２】
従来、ユーザーが、任意に行う画像形成装置の機能設定の情報を、１つのグループとして記憶し、記憶した設定情報を呼び出して、現在の設定情報に上書きすることを可能とするものがあった（例えば、特許文献１参照）。
【先行技術文献】
【特許文献】
【０００３】
【特許文献１】特開２００１−２８５５３４号公報（第７頁、図１４）
【発明の概要】
【発明が解決しようとする課題】
【０００４】
しかしながら、呼び出し後に設定値の変更を行う場合、いくつもの画面を行き来する操作が必要になり、またこの操作上の煩雑さを避ける対策として、様々な設定値を組み合わせたデータを予め用意して個別に登録する場合でも、登録数が増えてこれらデータの選択操作が負担になっていた。
【課題を解決するための手段】
【０００５】
本発明による画像形成方法は、
所定機能を実行する過程において、設定を行うための複数の画面から、再呼び出しの対象とする第１の画面を指定し、前記第１の画面に第１の名称を付けて登録する第１のステップと、前記第１の名称が選択されたとき、前記第１の画面に基づいて形成された再表示画面のみを表示し、前記再表示画面での再設定を促す第２のステップと、前記所定機能の実行が指示されたとき、前記所定機能を実行する第３のステップと
を有することを特徴とする。
【０００６】
本発明による画像形成装置は、
所定機能を実行する過程において設定を行うための画面であって、再呼び出しの対象とする第１の画面と、再呼び出しの対象としない第２の画面とを表示する表示部と、前記第１の画面で設定した第１の設定値と、前記第２の画面で設定した第２の設定値と、前記第１の画面の第１の画面情報とを有する設定情報を、第１の名称を付けて記憶する記憶部と、前記記憶に記憶されている前記第１の名称を選択する選択部と、前記表示部、前記記憶部、及び前記選択部における処理を制御する制御部とを有し、
前記制御部は、前記選択部で前記記憶部に記憶されている前記第１の名称が選択された場合、前記第１の画面に基づいて形成された再表示画面のみを前記表示部に表示し、前記再表示画面での前記第１の設定値の再設定を促すことを特徴とする。
【発明の効果】
【０００７】
本発明によれば、多くの設定項目の中から、予め選択した再設定の可能性の高い設定項目の各設定画面のみを、順次表示して再設定可能とするので、再設定を含む各設定項目の設定時の煩雑さを解消することが出来る。
【図面の簡単な説明】
【０００８】
【図１】本発明にかかる画像形成装置の実施の形態１の要部構成を示すブロック図である。
【図２】画像形成装置のオペレーションパネルの外観図である。
【図３】タッチパネルに表示される、設定値をデフォルト値から変更した項目を含むコピー待機画面の表示例を示す画面図である。
【図４】タッチパネルに表示される登録確認画面の表示例を示す図であり、（ａ）は設定変更画面が存在する場合の第１の登録確認画面の表示例を示す図であり、同図（ｂ）は設定変更画面が存在しない場合の第２の登録確認画面の表示例を示す図である。
【図５】設定情報記憶部にインデックスでグループ分けされて保存された、設定情報の登録内容を示す内容説明図である。
【図６】（ａ）は給紙トレイ設定画面の一表示例を示し、（ｂ）は、トレイ２用紙サイズ設定画面の一表示例を示し、（ｃ）は、拡大／縮小設定画面の一表示例を示す。
【図７】設定変更フロー作成時に設定変更画面キューから取得する設定画面情報の取得順を示す動作説明図である。
【図８】設定変更フローに従って作成した設定画面の一例を示し、（ａ）は１ページ目の給紙トレイ設定画面を示し、（ｂ）は、２ページ目のトレイ２用紙サイズ設定画面を示し、（ｃ）は、３ページ目の拡大／縮小設定画面を示している。
【図９】設定情報登録名が「特殊コピー」という設定情報に含まれる設定変更フローに従って遷移する各設定画面の流れを示す動作説明図である。
【図１０】Ａ４サイズの読取領域（ガラス面）に自動探知できない複数の原稿を並べて配置して読み取り、１４５％拡大で、Ａ３サイズの記録用紙に印刷するとき、設定変更及び設定情報の登録までの各操作に応じて遷移する表示画面の遷移過程を、概略的に示す表示遷移図である。
【図１１】設定変更及び設定情報の登録までの処理の流れを示すフローチャートである。
【図１２】図１１に示すフローチャートの設定変更指定処理（ステップＳ１０２、１０６、１１２）の詳細を示すフローチャートである。
【図１３】図１１に示すフローチャートの設定情報登録処理（ステップＳ１１４）の詳細を示すフローチャートである。
【図１４】設定変更時において、表示部、表示制御部、設定変更指定部、及び設定情報記憶部間での信号の流れ及び表示部の表示状態を示すシーケンス図である。
【図１５】設定情報の登録時において、表示部、表示制御部、設定変更指定部、設定情報記憶部、及び設定変更フロー作成部間での信号の流れ及び表示部の表示状態を示すシーケンス図である。
【図１６】設定情報の呼び出し時において、表示部、表示制御部、設定情報呼出部、及び設定情報記憶部間での信号の流れ及び表示部の表示状態を示すシーケンス図である。
【図１７】タッチパネルに表示される、コピー待機画面の表示例を示す画面図である。
【図１８】タッチパネルに表示される、給紙トレイ設定画面の表示例を示す画面図である。
【図１９】タッチパネルに表示される、受付完了画面の表示例を示す画面図である。
【図２０】タッチパネルに表示される、給紙トレイ設定画面の表示例を示す画面図である。
【図２１】タッチパネルに表示される、給紙トレイ設定画面の表示例を示す画面図である。
【図２２】タッチパネルに表示される、コピー待機画面の表示例を示す画面図である。
【図２３】タッチパネルに表示される、コピー待機画面の表示例を示す画面図である。
【図２４】タッチパネルに表示される、第１の登録確認画面の表示例を示す画面図である。
【図２５】タッチパネルに表示される、第２の登録確認画面の表示例を示す画面図である。
【図２６】タッチパネルに表示される、ソフトキーボード画面の表示例を示す画面図である。
【図２７】タッチパネルに表示される、登録完了画面の表示例を示す画面図である。
【図２８】タッチパネルに表示される、コピー待機画面の表示例を示す画面図である。
【図２９】タッチパネルに表示される、コピー待機画面の表示例を示す画面図である。
【図３０】タッチパネルに表示される、設定情報登録名一覧画面の表示例を示す画面図である。
【図３１】タッチパネルに表示される、給紙トレイ設定画面の表示例を示す画面図である。
【図３２】タッチパネルに表示される、トレイ２用紙サイズ設定画面の表示例を示す画面図である。
【図３３】タッチパネルに表示される、拡大／縮小設定画面の表示例を示す画面図である。
【図３４】タッチパネルに表示される、拡大／縮小設定画面の表示例を示す画面図である。
【図３５】タッチパネルに表示される、コピー待機画面の表示例を示す画面図である。
【図３６】タッチパネルに表示される、コピー待機画面の表示例を示す画面図である。
【発明を実施するための形態】
【０００９】
実施の形態１．
図１は、本発明にかかる画像形成装置１の実施の形態１の要部構成を示すブロック図である。
【００１０】
画像形成装置１は、オペレーションパネル１１、設定情報記憶部１６、設定変更指定部１７、設定情報呼出部１８、設定変更フロー作成部１９、読取部２０、画像メモリ２１、印刷部２２、送受信部２３、制御部２４、ＲＡＭ２５、ＲＯＭ２６、ＣＰＵ２７、及び共通バス２８を備える。
【００１１】
オペレーションパネル１１は、表示部１３と制御部としての表示制御部１４を備えた選択部としてのタッチパネル１２と操作部１５によって構成され、認証情報を入力してログインしたり、各機能を実行したり、各機能の条件等を設定したり、画像データを送信する等、画像形成装置１を操作する機能を有し、設定情報記憶部１６は、画像形成装置１が所有する設定情報を記憶する。
【００１２】
設定変更指定部１７は、後述するように、設定情報呼出部１８で設定情報を呼び出す際に、設定値を変更する可能性が高く、再度呼び出したい設定画面だけを設定変更画面としてウィザード形式で表示するように、オペレーションパネル１１の操作で、それらの設定変更画面のデータを設定変更画面キュー１７ａに一時的に格納する。以後、各設定画面のうち、設定変更画面キュー１７ａに一時的に登録した設定画面を設定変更画面と称す場合がある。
【００１３】
設定情報呼出部１８は、設定情報記憶部１６から所望する設定情報を呼び出し、設定変更フロー作成部１９は、設定変更指定部１７の設定変更画面キューに一時的に格納されている設定変更画面の画面データを用いてウィザード形式の設定変更フローを作成する。読取部２０は、読み取った画像データを、画像データを一時的に記憶する画像メモリ２１に一時記憶させ、印刷部２２は、画像メモリ２１に記憶されている画像データを印刷する。
【００１４】
送受信部２３は、ファックスの通信プロトコルやＴＣＰＩＰ等のネットワーク関連のプロトコルに則って、電話回線や通信ネットワークを介して外部装置とデータを送受信し、制御部２４は、画像形成装置１全体を統括的に制御する。ＲＡＭ２５は、画像形成装置１の各種機能の動作を制御する際に必要となる各種情報を記憶し、ＲＯＭ２６は、画像形成装置１の制御プログラム等を予め格納し、ＣＰＵ２７は、制御部２４の指示に従って演算処理等を行ない、共通バス２８は、画像形成装置１における上記各部分を接続する信号線である。
【００１５】
図２は、オペレーションパネル１１の外観図である。
【００１６】
同図において、操作部１５（図１）は、画像形成装置１への動作指示を行うスタートキー１５ｉ、動作のキャンセルを行うストップキー１５ｊ、ホーム／コピー／スキャン／プリント／ファックス／Ｅ−メールの各機能を実行する際の機能切り替えを行う、ホームキー１５ａ、コピーキー１５ｂ、スキャンキー１５ｃ、プリントキー１５ｄ、ファックスキー１５ｅ、Ｅ−メールキー１５ｍ、英数字記号を入力するためのテンキー１５ｆ、テンキー１５ｆで入力した内容をクリアするクリアキー１５ｇ、画像形成装置１のステータスを確認するステータスキー１５ｈ、画像形成装置１を節電モードに移行させるパワーセーブキー１５ｋ、画像形成装置１の電源スイッチであるパワーキー１５ｌから成る。以上のキー押下は後述する表示制御部１４（図１）にその都度通知される。
【００１７】
表示部１３（図１）は、後述する表示制御部１４（図１）の制御や操作部１５の操作に基づいて画面を表示する機能を有する。図２の外観図ではタッチパネル１２に相当する。尚、後述するように表示部１３に表示されるソフトボタンの押下は、表示制御部１４にその都度通知される。
【００１８】
表示制御部１４（図１）は、表示部１３が表示している表示内容に応じた操作部１５の各キーの押下時及び表示部１３に表示されている各ボタン押下時の、各振る舞いや画面遷移を管理し、表示部１３の表示を制御する機能を有する。
【００１９】
また表示制御部１４は、表示部１３に表示されている設定画面のアイコンボタンが押下されたとき、後述するように、その機能名と画面名を設定変更指定部１７に通知する機能と、設定操作完了時に、設定情報記憶部１６からデフォルト設定情報を取得して設定変更内容と比較し、デフォルトと異なる設定項目を特定して、表示対象画面の設定項目に変更マークを付与するように表示部１３に指示する機能を有する。
【００２０】
図３は、タッチパネル１２（図２では表示部１３と同じ）に表示される、デフォルト値に設定されたコピー待機画面１０１（図１７）に対して、後述するように、いくつかの設定項目において、設定値をデフォルト値から変更した後に、表示されるコピー待機画面１０１ｃの表示例を示す画面図である。
【００２１】
ここでは、後述するように、給紙トレイが自動からトレイ２に、読取サイズが自動からＡ４に、拡大／縮小が１００％から１４５％に、それぞれの設定項目の設定値がデフォルト値から変更された場合を示し、変更された設定項目に対応する各表示部（ここでは各ボタン）には、変更マーク２０１ｄが追加表示されている。
【００２２】
また表示制御部１４は、後述するように、変更した設定情報を登録する指示があった場合、設定変更フロー作成部１９にウィザード形式による更なる設定変更を可能とする設定変更フローを作成依頼する機能と、設定変更フロー作成部１９から設定変更フローの作成完了を受けたら、設定変更フローに従って登場する設定変更画面の名称等を登録確認画面として表示するように表示部１３に指示する機能を有する。
【００２３】
図４は、この時にタッチパネル１２に表示される登録確認画面の表示例を示す図であり、同図（ａ）は設定変更画面が存在する場合の第１の登録確認画面１０５ａの表示例を示す図であり、同図（ｂ）は設定変更画面が存在しない場合の第２の登録確認画面１０５ｂの表示例を示す図である。  
【００２４】
設定変更画面キュー１７ａに、登録された設定変更画面のデータがある場合、（ここでは「給紙トレイ設定画面」、「トレイ２用紙サイズ設定画面」、及び「拡大／縮小設定画面」のデータが存在する場合を示す）、図４（ａ）に示す「設定変更画面」の項に挙げられた各名称の画面、即ち「給紙トレイ設定画面」、「トレイ２用紙サイズ設定画面」、及び「拡大／縮小設定画面」の各設定変更画面が設定変更フローで登場する画面であることを示している。
【００２５】
一方、設定変更指定部１７の設定変更画面キュー１７ａに設定変更画面データが何も格納されていないときは、図４（ｂ）に示すように、設定変更画面の項目を省略した登録確認画面を表示するように表示部１３に指示する。
【００２６】
尚、第１の登録確認画面１０５ａには、図４（ａ）に示すように、設定変更画面と共に、「コピー機能設定値」として、「給紙トレイ」等の該当項目とそれぞれ対応する設定値が表示され、更にその設定値がデフォルト値から変更されている場合にはその項目に変更マーク２０５ｄが表示される。また設定変更画面データが存在しない場合には、図４（ｂ）に示すように、「コピー機能設定値」の、該当項目、設定値、変更マークだけが表示される。
【００２７】
また表示制御部１４は、設定情報の登録が完了するときに、後述するように、「設定項目が属する機能の機能名」と「設定情報登録名」と「設定値が確定した設定項目」とを設定情報記憶部１６に記憶する機能と、設定変更フロー作成部１９で設定変更フローを作成した場合は、設定変更フロー作成部１９に「設定変更フロー」の登録依頼を出す機能を有する。尚、以後、設定情報は、「設定値情報（設定値が確定した設定項目）」と、「設定変更フロー」が作成された場合はこの「設定変更フロー」を含むものとする。
【００２８】
また表示制御部１４は、設定情報を呼び出す指示があった場合は、後述するように設定情報呼出部１８に対して、呼び出し対象の設定情報を指定して設定情報の呼び出しを依頼する機能と、設定情報呼出部１８から設定情報を受けたときに、その情報に設定変更フローが有れば、その設定変更フローに基づいて画面表示制御を行い、表示部１３に対象の画面を表示する機能と、その設定変更フローを抜けるときは、設定情報記憶部１６からデフォルト設定情報を取得して設定変更内容と比較し、デフォルトと異なる設定項目を特定して、表示対象画面の設定項目に変更マーク２０１ｄ（図３）を付与するように表示部１３に指示する機能を有する。
【００２９】
記憶部としての設定情報記憶部１６は、画像形成装置１で有する各機能の条件を設定項目として設け、それぞれの設定項目のデフォルト設定値を記憶している。表１は、所定機能としてのコピー機能に関して、設定情報記憶部１６に記憶されている設定項目及びそのデフォルト値の内容を示している。また後述するように、ユーザーの設定操作で設定変更された設定情報を１つのグループとして記憶する機能も有する。
【００３０】
【表１】
2018207188.tif 000003
【００３１】
図５は、設定情報記憶部１６にインデックスでグループ分けされて保存された、設定情報の登録内容を示す内容説明図であり、図６（ａ）は給紙トレイ設定画面１０２ａの一表示例を示し、図６（ｂ）は、トレイ２用紙サイズ設定画面１０３ａの一表示例を示し、図６（ｃ）は、拡大／縮小設定画面１０４ａの一表示例を示す。
【００３２】
インデックスＮｏ．１には、設定情報登録名を「特殊コピー」と名付けた設定情報として、対象とする機能の機能名「コピー」、これに対応する設定項目、及び設定変更フローが関連付けて保存されている。尚、設定変更フローは、ここでは簡単のため模試的に示され、ここで表示された各画面は、図８の（ａ）、（ｂ）、（ｃ）、及び図２８で示される画面の内容となっている。
【００３３】
設定変更指定部１７は、設定変更画面のデータを一時的に保存する設定変更画面キュー１７ａを有しており、表示制御部１４からキューへの挿入依頼を受けたら、受け取った機能名と設定変更画面データを１セットにした設定画面情報を設定変更画面キュー１７ａに格納する機能を有する。尚、キューへの挿入依頼は、例えば、図６（ａ）に示す給紙トレイ設定画面１０２ａのアイコンボタン２０２ａや、図６（ｂ）に示すトレイ２用紙サイズ設定画面１０３ａのアイコンボタン２０３ａや、図６（ｃ）に示す拡大／縮小設定画面１０４ａのアイコンボタン２０４ａが押下されたときに発生する。
【００３４】
設定情報呼出部１８は、表示制御部１４から設定情報呼出の指示を受けた際に、呼び出す対象の設定情報を設定情報記憶部１６から取得して表示制御部１４に渡す機能を有する。
【００３５】
設定変更フロー作成部１９は、表示制御部１４からウィザード形式の設定変更フロー作成の依頼を受けると、設定変更指定部１７の設定変更画面キュー１７ａから、設定画面情報を図７に示すように１個ずつ、ここでは、給紙トレイ設定画面１０２ａ（図６（ａ））→トレイ２用紙サイズ設定画面１０３ａ（図６（ｂ））→拡大／縮小設定画面１０４ａ（図６（ｃ））の順に順次取得して、後述するように、ウィザード形式で設定画面を作成するための設定変更フローを作成する機能を有する。
【００３６】
図８は、後述するように、設定変更フローに従って作成した設定画面の一例を示し、同図（ａ）は１ページ目の給紙トレイ設定画面１０２ｂを示し、同図（ｂ）は、２ページ目のトレイ２用紙サイズ設定画面１０３ｂを示し、同図（ｃ）は、３ページ目の拡大／縮小設定画面１０４ｂを示している。
【００３７】
同図（ａ）に示すように、１ページ目の給紙トレイ設定画面１０２ｂにおいては、操作エリアのボタンは、「次へ」ボタン２０２ｃだけを配置し、タイトルにページ表示（１／３）２０２ｂを付与している。一方、同図（ｂ）に示すように、２ページ目のトレイ２用紙サイズ設定画面１０３ｂにおいては、操作エリアのボタンは、「次へ」ボタン２０３ｃと「戻る」ボタン２０３ｄを配置し、タイトルにページ表示（２／３）２０３ｂを付与している。更に同図（ｃ）に示すように、３ページ目の拡大／縮小設定画面１０４ｂにおいては、操作エリアのボタンは、「次へ」ボタン２０４ｃと「戻る」ボタン２０４ｄを配置し、タイトルにページ表示（３／３）２０４ｂを付与している。
【００３８】
図９は、設定情報登録名が「特殊コピー」という設定情報に含まれる設定変更フローに従って遷移する各設定画面の流れを示す動作説明図である。
【００３９】
設定変更フロー作成部１９は、マクロを実行する設定変更フローを作成する。例えば図９に示すように、設定情報登録名一覧表（後述する図３０の設定情報登録名一覧画面１１３に表示される設定情報登録名の一覧に相当）から、「特殊コピー」という設定情報登録名が選択された場合、給紙トレイ設定画面１０２ｂ、トレイ２用紙サイズ設定画面１０３ｂ、拡大／縮小設定画面１０４ｂ、及びコピー待機画面１０１ｃの各画面が、図８で説明した画面の操作エリアに配設された「次へ」ボタン或は「戻る」ボタンの選択に応じて画面遷移する設定変更フローを作成し、作成した設定変更フローを、表示制御部１４から登録依頼を受けて、設定情報記憶部１６に記憶する機能を有する。
【００４０】
以上の構成において、本発明による画像形成装置１が実行する設定変更、設定情報の登録、及び設定情報の呼出、設定変更フローによるマクロの実行の各動作について説明する。
【００４１】
図１０は、読取部２０（図１）において、Ａ４サイズの読取領域（ガラス面）に自動探知できない複数の原稿を並べて配置して読み取り、１４５％拡大（固定倍率ではない）で、Ａ３サイズの記録用紙に印刷するとき、設定変更及び設定情報の登録までの各操作に応じて遷移する表示画面の遷移過程を、概略的に示す表示遷移図である。
【００４２】
図１１は、この時の設定変更及び設定情報の登録までの処理の流れを示すフローチャートであり、図１２は、図１１に示すフローチャートの設定変更指定処理（ステップＳ１０２、１０６、１１２）の詳細を示すフローチャートであり、図１３は、同じく図１１に示すフローチャートの設定情報登録処理（ステップＳ１１４）の詳細を示すフローチャートである。
【００４３】
図１４は、この設定変更時において、表示部１３、表示制御部１４、設定変更指定部１７、及び設定情報記憶部１６間での信号の流れ及び表示部１３の表示状態を示すシーケンス図であり、図１５は、この設定情報の登録時において、表示部１３、表示制御部１４、設定変更指定部１７、設定情報記憶部１６、及び設定変更フロー作成部１９間での信号の流れ及び表示部１３の表示状態を示すシーケンス図である。
【００４４】
尚、シーケンス図１４、図１５では、各タイミングにおいて表示部１３が表示する表示画面を、図面番号（［図１７］、［図１８］等）で示しているが、これは示された図面番号の図に示す画面が表示されるという意味である。
【００４５】
先ず、図１１、図１２のフローチャートに基づいて、表示遷移図（図１０）、シーケンス図（図１４）を参照しながら、設定変更動作について説明する。
【００４６】
ステップＳ１０１：図２に示すオペレーションパネル１１のコピーキー１５ｂが押下されることによって、表示部１３にコピー待機画面１０１（図１７）を表示しているとき、「給紙トレイ」ボタン２０１ｂが押下されると（図１４、Ｆ１０１）、表示制御部１４は、表示部１３に給紙トレイ設定画面１０２（図１８）を表示させる（図１４、Ｆ１０２）。
【００４７】
ステップＳ１０２（設定変更指定）において：
ステップＳ２０１（図１２）：設定変更指定される第１の画面としての給紙トレイ設定画面１０２（図１８）のアイコンボタン２０２ａの押下が設定変更指定部１７に通知されると（図１４、Ｆ１０３）、表示制御部１４は表示部１３に受付完了画面１１０（図１９）を表示させ（図１４、Ｆ１０４）、２秒経過後に（図１４、Ｆ１０６）、表示部１３に表示されている受付完了画面１１０（図１９）を消去するので（図１４、Ｆ１０７）、表示部１３には、再び給紙トレイ設定画面１０２（図２０）が表示される。
ステップＳ２０２：一方、設定変更指定部１７は、アイコンボタン２０２ａの押下によるキューへの挿入依頼を受けて、コピー機能の給紙トレイ設定画面１０２（図１８）の設定変更画面データと機能名（ここではコピー）とを一緒にした設定画面情報を設定変更画面キュー１７ａ（図１）に格納する（図１４、Ｆ１０５）。
【００４８】
ステップＳ１０３：給紙トレイ設定画面１０２（図２０）において、ボタン押下により設定値がデフォルト値（表１参照）の「自動」から第１の設定値としての「トレイ２」に変更されると（図１４、Ｆ１０８）、表示部１３に表示されている給紙トレイ設定画面１０２を、変更後の給紙トレイ設定画面１０２ａ（図２１）に更新する（図１４、Ｆ１０９）。
【００４９】
そして、給紙トレイ設定画面１０２ａの［ＯＫ］ボタン２０２ｅが押下されると（図１４、Ｆ１１０）、表示制御部１４は、設定情報記憶部１６からコピー機能の各設定項目のデフォルト設定値を取得して（図１４、Ｆ１１１、Ｆ１１２）、表示制御部１４で一時的に保持している設定値と比較し、デフォルト値と異なる設定項目を特定し（図１４、Ｆ１１３）、コピー待機画面１０１（図１７）に対して、特定した設定項目（給紙トレイ）の設定表示部に相当する「給紙トレイ」ボタン２０１ｂに変更マーク２０１ｄを付与したコピー待機画面１０１ａ（図２２）に更新する（図１４、Ｆ１１４）。
【００５０】
尚、ステップＳ１０１〜Ｓ１０３までの流れは、図１０の表示遷移図において、遷移番号Ｎ１０１〜Ｎ１０３までの処理に相当する。
【００５１】
ステップＳ１０４〜ステップＳ１０７は、トレイ２用紙サイズ設定画面１０３（図６（ｂ）参照）を表示し、アイコンボタン２０３ａの押下により機器設定機能の第１の画面としてのトレイ２用紙サイズ設定画面１０３の設定変更画面データと機能名とを一緒にした設定画面情報を設定変更画面キュー１７ａ（図１）に格納し、設定値を「Ａ４」から「Ａ３」に変更するステップであり、図１０の表示遷移図の遷移番号Ｎ１０２〜Ｎ１０８までの処理に相当するが、設定変更に関するシーケンスは先に説明したステップＳ１０１〜ステップＳ１０３の給紙トレイの設定変更時と同様なので、ここではシーケンス図を省略する。
【００５２】
尚、図６（ｂ）のトレイ２用紙サイズ設定画面１０３ａでは、用紙サイズがＡ３に設定されている状態を示しているが、ここでのトレイ２用紙サイズ設定画面１０３は、用紙サイズがデフォルト値（表１参照）のＡ４に設定されている画面に相当する。
【００５３】
ステップＳ１０４：コピー待機画面１０１ａ（図２２）の上段に配置されている「機器設定」ボタン２０１ｃを押下して、機器設定メニューに入る。
ステップＳ１０５：機器設定メニューよりトレイ２用紙サイズ設定画面１０３を表示する。この間、図１０の表示遷移図の遷移番号Ｎ１０４〜Ｎ１０６のボタン押下処理が行われるものである。
尚、「機器設定」ボタン２０１ｃは、各トレイでの用紙サイズの設定など、全ての機能にかかわる内容に該当する設定項目を表示し、設定値を設定するために備えられ、各機能の待機画面において共通に表示されるものである。
【００５４】
ステップＳ１０６（設定変更指定）において：
ステップＳ２０１：トレイ２用紙サイズ設定画面１０３（図６（ｂ）参照）のアイコンボタン２０３ａの押下が設定変更指定部１７に通知されると、表示制御部１４は表示部１３に受付完了画面１１０（図１９）を表示させ、２秒経過後に、表示部１３に表示されている受付完了画面１１０（図１９）を消去するので、表示部１３には、再びトレイ２用紙サイズ設定画面１０３が表示される。
ステップＳ２０２：一方、設定変更指定部１７は、アイコンボタン２０３ａの押下によるキューへの挿入依頼を受けて、機器設定機能のトレイ２用紙サイズ設定画面１０３（図６（ｂ）参照）の設定変更画面データと機能名（ここでは機器設定）とを一緒にした設定画面情報を設定変更画面キュー１７ａ（図１）に格納する。
【００５５】
ステップＳ１０７：トレイ２用紙サイズ設定画面１０３において、設定値をデフォルト値の「Ａ４」から「Ａ３」に変更し、表示部１３に表示されているトレイ２用紙サイズ設定画面１０３を、変更後のトレイ２用紙サイズ設定画面１０３ａ（図６（ｂ））に更新する。尚、機器設定機能はジョブを実行する機能ではないので、ここでは変更マークの表示処理は行わない。
ステップＳ１０８：コピーキー１５ｂ（図２）が押下されることによって、再びコピー待機画面１０１ａ（図２２）に戻る。
【００５６】
ステップＳ１０９〜ステップＳ１１０は、読取サイズ設定画面（図示せず）を表示し、設定値をデフォルト値の「自動」（表１参照）から「Ａ４」に変更するステップであり、図１０の表示遷移図の遷移番号Ｎ１０９〜Ｎ１１１までの処理に相当するが、設定変更に関するシーケンスは先に説明したステップＳ１０１〜ステップＳ１０３の給紙トレイの設定変更時と同様なので、ここではシーケンス図を省略する。
【００５７】
ステップＳ１０９：「読取サイズ」ボタン２０１ｅ（図２２）を押下して、読取サイズ設定画面（図示せず）を表示する。
ステップＳ１１０：読取サイズ設定画面において、設定値がデフォルト値の「自動」から第２の設定値としての「Ａ４」に変更されると、表示部１３に表示されている読取サイズ設定画面の表示を更新する。
【００５８】
そして、読取サイズ設定画面の［ＯＫ］ボタンが押下されると、表示制御部１４は、設定情報記憶部１６からコピー機能の各設定項目のデフォルト設定値を取得して、表示制御部１４で一時的に保持している設定値と比較し、デフォルト値と異なる設定項目を特定し、コピー待機画面１０１ａ（図２２）に対して、特定した設定項目（読取サイズ）のボタンに変更マーク２０１ｄを付与したコピー待機画面１０１ｂ（図３６）に更新する。
【００５９】
尚、設定変更指定されない読取サイズ設定画面は、再呼び出しの対象としない第２の画面に相当する。
【００６０】
ステップＳ１１１〜ステップＳ１１３は、コピー機能の拡大／縮小設定画面１０４（図６（ｃ）参照）を表示し、アイコンボタン２０４ａの押下によりコピー機能の拡大／縮小設定画面１０４の設定変更画面データと機能名とを一緒にした設定画面情報を設定変更画面キュー１７ａ（図１）に格納し、設定値を「１００％」から「１４５％」に変更するステップであり、図１０の表示遷移図の遷移番号Ｎ１１１〜Ｎ１１５までの処理に相当するが、設定変更に関するシーケンスは先に説明したステップＳ１０１〜ステップＳ１０３の給紙トレイの設定変更時と同様なので、ここではシーケンス図を省略する。
【００６１】
尚、図６（ｃ）の拡大／縮小設定画面１０４ａでは、倍率が「１４５％」に設定されている状態を示しているが、ここでの拡大／縮小設定画面１０４は、拡大／縮小倍率がデフォルト値（表１参照）の「１００％」に設定されている画面に相当する。
【００６２】
ステップＳ１１１：表示部１３にコピー待機画面１０１ｂ（図３６）が表示されているとき、「拡大／縮小」ボタン２０１ｆが押下されると、表示制御部１４は、表示部１３に拡大／縮小設定画面１０４（図６（ｃ））参照を表示させる。
【００６３】
尚、図２２のコピー待機画面１０１ａでは、変更マーク２０１ｄが「給紙トレイ」ボタン２０１ｂにのみに付されている状態を示しているが、ここでのコピー待機画面１０１ｂ（図３６）は、「読取サイズ」ボタン２０１ｅにも変更マーク２０１ｄが付された画面となる。
【００６４】
ステップＳ１１２（設定変更指定）において：
ステップＳ２０１：拡大／縮小設定画面１０４（図６（ｃ）参照）のアイコンボタン２０４ａの押下が設定変更指定部１７に通知されると、表示制御部１４は表示部１３に受付完了画面１１０（図１９）を表示させ、２秒経過後に、表示部１３に表示されている受付完了画面１１０を消去するので、表示部１３には、再び拡大／縮小設定画面１０４が表示される。
ステップＳ２０２：一方、設定変更指定部１７は、アイコンボタン２０４ａの押下によるキューへの挿入依頼を受けて、コピー機能の拡大／縮小設定画面１０４（図６（ｃ）参照）の設定変更画面データと機能名（ここではコピー）とを一緒にした設定画面情報を設定変更画面キュー１７ａ（図１）に格納する。
【００６５】
ステップＳ１１３：拡大／縮小設定画面１０４において、設定値を「１００％」から第１の設定値としての「１４５％」に変更し、表示部１３に表示されている拡大／縮小設定画面１０４を、変更後の拡大／縮小設定画面１０４ａ（図６（ｃ））に更新する。
【００６６】
そして、拡大／縮小設定画面１０４ａ（図６（ｃ））の［ＯＫ］ボタン２０４ｅが押下されると、表示制御部１４は、設定情報記憶部１６からコピー機能の各設定項目のデフォルト設定値を取得して、表示制御部１４で一時的に保持している設定値と比較し、デフォルト値と異なる設定項目を特定し、上記したコピー待機画面１０１ｂ（図３６）に対して、特定した設定項目（拡大／縮小）のボタン２０１ｆに変更マーク２０１ｄを付与したコピー待機画面１０１ｃ（図２３）に更新する。
【００６７】
次に、図１３のフローチャートに基づいて、表示遷移図（図１０）、シーケンス図（図１５）を参照しながら、図１１のフローチャートのステップＳ１１４（設定情報の登録）の処理に相当する設定情報の登録動作について説明する。
【００６８】
ステップＳ３０１：以上のステップで設定変更画面を確定する設定変更指定、及び設定値を変更する設定変更の済んだコピー待機画面１０１ｃ（図２３）が表示部１３に表示されているときに、「設定情報を登録」ボタン２０１ｇを押下する（図１５、Ｆ１１５）。
ステップＳ３０２：表示制御部１４は、設定変更指定部１７の設定変更画面キュー１７ａ（図１）に画面情報が格納されているかを確認し、格納されていればステップＳ３０４へ移行し、格納されていなければ、ステップＳ３０３に移行する。
【００６９】
ステップＳ３０３：表示制御部１４は表示部１３に、図４（ｂ）に示すような第２の登録確認画面１０５ｂ（図２５）を表示し（図１５、Ｆ１２９）、ステップＳ３１１に移行する。尚、ここで表示される第２の登録確認画面１０５ｂは、「コピー機能設定値」として、表１に示すコピー機能の各設定項目とこれに対応する設定値を示すもので、同図に示すように、デフォルト値から変更された項目は変更マーク２０５ｄが付され、デフォルト値のままの項目より上位に配置されている。尚、ここでデフォルト値のままの各項目の設定値が第３の設定値に相当する。
【００７０】
ステップＳ３０４：表示制御部１４は、設定変更フロー作成部１９に設定変更フローの作成を依頼し（図１５、Ｆ１１６）、設定変更フロー作成部１９は、設定変更指定部１７の設定変更画面キュー１７ａから、一時的に保存された第１の画面情報としての設定画面情報を、前記した図７に矢印で示す順に順次取得する（図１５、Ｆ１１７−Ｆ１１８、Ｆ１２０−Ｆ１２１、Ｆ１２３−Ｆ１２４）。
【００７１】
ステップＳ３０５：設定変更フロー作成部１９が、設定変更指定部１７の設定変更画面キュー１７ａから１ページ目の設定画面情報を取得したならばステップＳ３０６へ移行し、１ページ目以降ならばステップＳ３０７へ移行する。
ステップＳ３０６：設定変更フロー作成部１９は、図８（ａ）に示すような１ページ目の画面、即ちその操作エリアには「次へ」ボタン２０２ｃだけを配置し、タイトルに「１／３」とするページ表示２０２ｂを追記した再表示画面としての給紙トレイ設定画面１０２ｂを作成し（図１５、Ｆ１１９）、ステップＳ３０８に移行する。  
【００７２】
ステップＳ３０７：設定変更フロー作成部１９は、２ページ目の設定画面情報を取得したならば、図８（ｂ）に示すような２ページ目の画面、即ちその操作エリアには、「次へ」ボタン２０３ｃと「戻る」ボタン２０３ｄを配置し、タイトルに「２／３」とするページ表示（２／３）２０３ｂを追記した再表示画面としてのトレイ２用紙サイズ設定画面１０３ｂを作成して（図１５、Ｆ１２２）、ステップＳ３０８に移行し、３ページ目の設定画面情報を取得したならば、図８（ｃ）に示すような３ページ目の画面、即ちその操作エリアには、「次へ」ボタン２０４ｃと「戻る」ボタン２０４ｄを配置し、タイトルに「３／３」とするページ表示２０４ｂを追記した再表示画面としての拡大／縮小設定画面１０４ｂを作成して（図１５、Ｆ１２５）、ステップＳ３０８に移行する。
【００７３】
ステップＳ３０８：設定変更フロー作成部１９は、設定変更指定部１７の設定変更画面キュー１７ａの設定画面情報の有無を確認し、有ればステップＳ３０４に戻り、無ければステップＳ３０９に移行する。
【００７４】
ステップＳ３０９：設定変更フロー作成部１９は、作成した再表示画面としてのこれらの設定画面を用いて、図９で説明した画面遷移を実現する表示指令情報としての設定変更フローを作成し（図１５、Ｆ１２６）、作成が完了したことを、作成した３種の画面情報（コピー機能の給紙トレイ設定画面１０２ｂ、機器設定機能のトレイ２用紙サイズ設定画面１０３ｂ、コピー機能の拡大／縮小設定画面１０４ｂ）を添えて表示制御部１４に通知する（図１５、Ｆ１２７）。
【００７５】
ステップＳ３１０：表示制御部１４は表示部１３に、図４（ａ）に示すような第１の登録確認画面１０５ａ（図２４）を表示し（図１５、Ｆ１２８）、ステップＳ３１１に移行する。尚、ここで表示される第１の登録確認画面１０５ａは、その「設定変更画面」の項に、設定変更フローで登場する画面、即ちここでは「給紙トレイ設定画面」、「トレイ２用紙サイズ設定画面」、及び「拡大／縮小設定画面」の名称を表示し、また「コピー機能設定値」の項に、表１に示すコピー機能の各設定項目とこれに対応する設定値を示す。尚、「コピー機能設定値」での表示方法は、前記した第２の登録確認画面１０５ｂ（図２５）の「コピー機能設定値」での表示方法と同じである。
【００７６】
ステップＳ３１１：表示部１３に表示されている登録確認画面（１０５ａ又は１０５ｂ）を確認しての登録有無の判断に従い、登録するための「はい」ボタン２０５ａが押下された場合（図１５、Ｆ１３０）、ステップＳ３１２へ移行し、登録しないための「いいえ」ボタン２０５ｂが押下された場合、その段階で一連の処理動作は終了する。
【００７７】
ステップＳ３１２：表示制御部１４は、設定情報登録名を入力するためのソフトキーボード画面１１１（図２６）を表示部１３に表示し（図１５、Ｆ１３１）、これにより設定情報登録名が入力される（図１５、Ｆ１３２）。ここでは第１の名称としての設定情報登録名として例えば「特殊コピー」を入力している。
ステップＳ３１３：ソフトキーボード画面１１１（図２６）で「ＯＫ」ボタン２１１ａが押下されると（図１５、Ｆ１３３）、表示制御部１４は、コピー機能の設定変更後の設定値情報（設定値が確定した設定項目）に「特殊コピー」という設定情報登録名を対応させて設定情報記憶部１６に記憶する（図１５、Ｆ１３４）。
【００７８】
更に、表示制御部１４は、設定変更フロー作成部１９で設定変更フローを作成した場合は、作成した設定変更フローを設定情報記憶部１６に記憶するように設定情報登録名を添えて指示を出し（図１５、Ｆ１３５）、設定変更フロー作成部１９は、設定情報記憶部１６に記憶されている設定情報登録名「特殊コピー」のエリアに、設定変更フローを記憶する（図１５、Ｆ１３６）。このとき設定情報記憶部１６には、図５で説明したように、機能、設定値情報（設定項目、設定値）、及び設定変更フローが、設定情報としてインデックスで設定情報登録名毎にグループ分けされて保存される。
一方、設定変更フローを作成していない場合は、コピー機能の設定変更後の設定値情報のみを「特殊コピー」という設定情報登録名を対応させて設定情報記憶部１６に記憶する（図１５、Ｆ１３７）。
【００７９】
そして、表示制御部１４によって、登録完了画面１１２（図２７）を表示部１３に表示し（図１５、Ｆ１３８）、１秒後（図１５、Ｆ１３９）、この登録完了画面１１２（図２７）を消去して、コピー待機画面１０１ｃ（図２８）を表示部１３に表示する（図１５、Ｆ１４０）。尚、ステップＳ３０１〜Ｓ３１３までの流れは、図１０の表示遷移図において、遷移番号Ｎ１１５〜Ｎ１１９までの処理に相当する。
【００８０】
次に、登録済みの設定変更フローを所有する設定情報を呼び出す動作について、図１６のシーケンス図に沿って説明する。図１６は、この設定情報の呼び出し時において、表示部１３、表示制御部１４、設定情報呼出部１８、及び設定情報記憶部１６間での信号の流れ及び表示部１３の表示状態を示すシーケンス図である。
【００８１】
尚、シーケンス図１６では、各タイミングにおいて表示部１３が表示する表示画面を、図面番号（［図２９］、［図３０］等）で示しているが、これは示された図面番号の図に示す画面が表示されるという意味である。
【００８２】
表示部１３にコピー待機画面１０１（図２９）が表示されているときに画面上段の「マクロ」ボタン２０１ｈが押下されると（Ｆ２０１）、表示制御部１４は、表示部１３に設定情報登録名一覧画面１１３（図３０）を表示する（Ｆ２０２）。表示部１３と重なる選択部としてのタッチパネル１２によって、この一覧画面中の、設定情報登録名が「特殊コピー」の「呼出」ボタン２１３ａが押下されると（Ｆ２０３）、表示制御部１４は、設定情報登録名が「特殊コピー」の設定情報の呼び出しを設定情報呼出部１８に指示し（Ｆ２０４）、設定情報呼出部１８は、設定情報登録名が「特殊コピー」の情報を設定情報記憶部１６から取得し（Ｆ２０５−Ｆ２０６）、呼び出した情報を表示制御部１４に渡す（Ｆ２０７）。
【００８３】
表示制御部１４は、設定情報登録名が「特殊コピー」の設定変更フローに従ってマクロを実行する。先ず、渡された情報の１ページ目の給紙トレイ設定画面１０２ｂ（図３１）を表示部１３に表示する（Ｆ２０８）。ここではユーザーが、表示された設定内容を確認後、設定変更せずに「次へ」ボタン２０２ｃを押下するものとする（Ｆ２０９）。
【００８４】
この場合、表示制御部１４は、設定変更フローに従って、渡された情報の２ページ目のトレイ２用紙サイズ設定画面１０３ｂ（図３２）を表示部１３に表示する（Ｆ２１０）。ここではユーザーが、表示された設定内容を確認後、設定変更せずに「次へ」ボタン２０３ｃを押下するものとする（Ｆ２１１）。
【００８５】
この場合、表示制御部１４は、設定変更フローに従って、渡された情報の３ページ目の拡大／縮小設定画面１０４ｂ（図３３）を表示部１３に表示する（Ｆ２１２）。ここでユーザーが、表示された設定内容をみながら、拡大／縮小率を変更すべく、「▲」ボタン２０４ｆを押下し（Ｆ２１３）、設定の変更を行ったものとする。
【００８６】
この場合、表示制御部１４は、この変更により、倍率表示部２０４ｇに表示される任意倍率を、拡大／縮小設定画面１０４ｂに表示された「１４５％」から「１４６％」に変更した更新後に拡大／縮小設定画面１０４ｃを表示部１３に表示する（Ｆ２１４）。ここではユーザーが、表示された変更内容を確認後、「次へ」ボタン２０４ｃを押下するものとする（Ｆ２１５）。
【００８７】
表示制御部１４は、設定変更フローが完了したので、設定情報記憶部１６からコピー機能の各設定項目のデフォルト設定値を取得し（Ｆ２１６−Ｆ２１７）、設定情報呼出部１８から渡された設定情報登録名が「特殊コピー」の設定値情報と設定情報記憶部１６から取得したデフォルト設定値を比較してデフォルト値と異なる設定項目を特定し（Ｆ２１８）、コピー待機画面１０１（図２９）の特定した設定項目のボタンに変更マーク２０１ｄを付与して更新したコピー待機画面１０１ｃ（図３５）を、表示部１３に表示する（Ｆ２１９）。
【００８８】
尚、上記したコピー機能では、「給紙トレイ設定画面」、「トレイ２用紙サイズ設定画面」、及び「拡大／縮小設定画面」を設定変更画面に登録してマクロを実行する例を示したが、これに限定されるものではなく、表１に示したコピー機能の各設定項目から、所望の項目を選択して設定変更画面に登録し、マクロを実行するように構成することも可能である。
【００８９】
以上のように、画像形成装置１では、コピー機能を実行する際に、再設定の可能性の高い設定項目、例えば本実施の形態では「給紙トレイ」、「トレイ２用紙サイズ」、「拡大／縮小率」の各設定画面を設定変更画面として予め指定する。そしてこれら指定した設定画面のみを順次表示し、設定変更可能とするマクロを実行する設定変更フローと、対応する設定値情報とを、設定情報として設定情報登録名を付けて設定情報記憶部に登録する。これによりユーザーは、再設定を行う場合、設定情報登録名一覧画面から所望の設定情報登録名、例えば「特殊コピー」を選択することによって、順次表示される「給紙トレイ」、「トレイ２用紙サイズ」、「拡大／縮小率」の各設定画面を、必要に応じて操作して再設定を行う。
【００９０】
ユーザーは、以上の各設定を終了した後、オペレーションパネルのスタートキー１５ｉを押下することで、各上記した設定に基づく画像形成装置１によるコピー処理を実行する。
尚、上記実施の形態では、再設定の際に表示される設定画面に、最初の設定処理で設定した設定値が表示される例を示したが、これに限定されるものではなく、例えばデフォルト値を表示するようにしてもよい。
【００９１】
（変形例１）
前記した実施の形態では、画像形成装置１が有する機能の内、コピーキー１５ｂ（図２）を押下してのコピー機能動作時の、設定情報の登録及び呼び出しについて説明したが、変形例１では、画像形成装置１が有する機能の内、スキャンキー１５ｃ（図２）を押下してのスキャン機能動作時の、設定情報の登録及び呼び出しについて説明する。
【００９２】
設定情報記憶部１６は、画像形成装置１が有する各機能の条件を設定項目として設け、それぞれの設定項目の各設定値とデフォルト値を記憶している。表２は、スキャン機能に関して記憶されている内容を示している。
【００９３】
【表２】
2018207188.tif 000004
【００９４】
このスキャン機能動作時においても、その設定変更動作手順は、図１１、図１２に示すコピー機能動作時のフローチャートが示す手順と同様の内容で実施される。即ち、図２に示すオペレーションパネル１１のスキャンキー１５ｃが押下されることによって、表示部１３にスキャン待機画面（図１７の１０１に相当）が表示される。但し、ここでは、コピー待機画面１０１に対して、「コピー」表示が「スキャン」とされ、「給紙トレイ」ボタン２０１ｂ等に代わって、表２の各設定項目に該当するボタンが配置される。
【００９５】
ここで、例えば表２に示す設定項目「カラーモード」に相当する「カラーモード」ボタンを押下することによって、カラーモード設定画面（図１８の１０２に相当）が表示される。但し給紙トレイ設定画面１０２に対して「トレイ」表示は「カラーモード」とされ、「トレイ１（Ａ４）」のボタン等に代わって、表２に示すカラーモードの各設定値に該当するボタンが配置される。ここでアイコンボタン（図１８の２０２ａに相当）の押下により、スキャン機能のカラーモード設定画面（図１８の１０２に相当）の設定画面情報を設定変更画面として設定変更画面キュー１７ａ（図１）に格納する。
【００９６】
カラーモード設定画面（図１８の１０２に相当）において、設定値をデフォルト値（表２参照）の「自動」から「モノクロ」に変更し、表示部１３に表示されているカラーモード設定画面を、変更後のカラーモード設定画面に更新する。そして、そのカラーモード設定画面（図２１の１０２ａに相当）の［ＯＫ］ボタン２０２ｅが押下されると、表示制御部１４は、設定情報記憶部１６からカラーモード機能の各設定項目のデフォルト設定値を取得して、表示制御部１４で一時的に保持している設定値と比較し、デフォルト値と異なる設定項目を特定し、スキャン待機画面（図１７の１０１に相当）に対して、特定した設定項目（カラーモード）のボタンに変更マーク２０１ｄを付与したスキャン待機画面（図２２の１０１ａに相当）に更新する。
【００９７】
以下同様にして、表２に示す設定項目「カラーモード」を「自動」から「モノクロ」に、「解像度」を２００ｄｐｉから３００ｄｐｉに、そして「濃度」を「０」から「＋２」に、それぞれの画面を設定変更画面とする設定変更指定により設定変更し、設定項目「コントラスト」を「０」から「−２」に、設定変更指定なしで設定変更したものとする。
【００９８】
この場合、設定変更の済んだスキャン待機画面（図２３の１０１ｃに相当）が表示部１３に表示されているときに、「設定情報を登録」ボタン２０１ｇを押下すると、設定変更指定された設定画面のみを順次表示し、設定変更可能とするマクロを実行する設定変更フローと、対応する設定値情報とを設定情報として、設定情報登録名、例えば「スキャン−設定１」を付けて設定情報記憶部１６に登録する（図５参照）。
【００９９】
登録済みの設定変更フローを所有する設定情報を呼び出す動作については、図１６のシーケンス図で説明した設定情報登録名が「特殊コピー」の場合と同様に処理される。
【０１００】
表示部１３にスキャン待機画面（図２９の１０１に相当）が表示されているときに「マクロ」ボタン２０１ｈが押下されると、表示制御部１４は、表示部１３に設定情報登録名一覧画面（図３０の１１３に相当）を表示する。この一覧画面中の、設定情報登録名が「スキャン−設定１」の「呼出」ボタン（図示せず）が押下されると、設定情報記憶部１６から呼び出された設定情報が表示制御部１４に渡される。
【０１０１】
表示制御部１４は、設定情報登録名が「スキャン−設定１」の設定変更フローに従って、先ず渡された情報の１ページ目の「カラーモード」の設定画面（図３１の１０２ｂに相当）を表示し、次に２ページ目の「解像度」の設定画面（図３２の１０３ｂに相当）を表示部１３に表示し、次に３ページ目の「濃度」の設定画面（図３３の１０４ｂに相当）を表示部１３に表示する。
【０１０２】
ユーザーは、各設定画面が表示されている段階で、設定値を再変更することが可能となる。その後、変更マーク付与処理が行われるが、この処理は前記した図１６のシーケンス図の処理番号Ｆ２１６〜Ｆ２１９の処理内容に基づいて処理されるものである。ユーザーは、以上の各設定を終了した後、オペレーションパネルのスタートキー１５ｉを押下することで、各上記した設定に基づく画像形成装置１によるスキャン処理を実行する。
【０１０３】
（変形例２）
変形例２では、画像形成装置１が有する機能の内、ファックスキー１５ｅ（図２）を押下してのファックス機能動作時の、設定情報の登録及び呼び出しについて説明する。
【０１０４】
設定情報記憶部１６は、画像形成装置１が有する各機能の条件を設定項目として設け、それぞれの設定項目の各設定値とデフォルト値を記憶している。表３は、ファックス機能に関して記憶されている内容を示している。
【０１０５】
【表３】
2018207188.tif 000005
【０１０６】
このファックス機能動作時においても、その設定変更動作手順は、図１１、図１２に示すコピー機能動作時のフローチャートが示す手順と同様の内容で実施される。即ち、図２に示すオペレーションパネル１１のファックスキー１５ｅを押下することによって、表示部１３にファックス待機画面（図１７の１０１に相当）が表示される。但し、ここでは、コピー待機画面１０１に対して、「コピー」表示が「ファックス」とされ、「給紙トレイ」ボタン２０１ｂ等に代わって、表３の各設定項目に該当するボタンが配置される。
【０１０７】
ここで、例えば表３に示す設定項目「発信元名」に相当する「発信元名」ボタン（図示せず）を押下することによって、発信元名設定画面（図１８の１０２に相当）が表示される。但し給紙トレイ設定画面１０２に対して「トレイ」表示は「発信元名」とされ、「トレイ１（Ａ４）」のボタン等に代わって、表３に示す「発信元名」の「オン」、「オフ」の各設定値に該当するボタンが配置される。ここでアイコンボタン（図１８の２０２ａに相当）の押下により、ファックス機能の発信元名設定画面（図１８の１０２に相当）の設定画面情報を設定変更画面として設定変更画面キュー１７ａ（図１）に格納する。  
【０１０８】
発信元名設定画面（図１８の１０２に相当）において、設定値をデフォルト値（表３参照）の「オン」から「オフ」に変更し、表示部１３に表示されている発信元名設定画面を、変更後の発信元名設定画面に更新する。そして、その発信元名設定画面（図２１の１０２ａに相当）の［ＯＫ］ボタン２０２ｅが押下されると、表示制御部１４は、設定情報記憶部１６からファックス機能の各設定項目のデフォルト設定値を取得して、表示制御部１４で一時的に保持している設定値と比較し、デフォルト値と異なる設定項目を特定し、ファックス待機画面（図１７の１０１に相当）に対して、特定した設定項目（発信元名）のボタンに変更マーク２０１ｄを付与したファックス待機画面（図２２の１０１ａに相当）に更新する。
【０１０９】
以下同様にして、表３に示す設定項目「発信元名」を「オン」から「オフ」に、「モデム伝送速度」を３３．６Ｋｂｐｓから１４．４Ｋｂｐｓに、そして「接続待ち時間」を「１０秒」から「３０秒」に、それぞれの画面を設定変更画面とする設定変更指定により変更処理し、設定項目「トーン送出時間」を「７５ミリ秒」から「８５ミリ秒」に、設定変更指定なしで変更処理したものとする。
【０１１０】
この場合、設定変更の済んだファックス待機画面（図２３の１０１ｃに相当）が表示部１３に表示されているときに、「設定情報を登録」ボタン２０１ｇを押下すると、設定変更指定された設定画面のみを順次表示し、設定変更可能とするマクロを実行する設定変更フローと、対応する設定値情報とを設定情報として、設定情報登録名、例えば「ファックス−設定１」を付して設定情報記憶部１６に登録する（図５参照）。
【０１１１】
登録済みの設定変更フローを所有する設定情報を呼び出す動作については、図１６のシーケンス図で説明した設定情報登録名が「特殊コピー」の場合と同様に処理される。
【０１１２】
表示部１３にファックス待機画面（図２９の１０１に相当）が表示されているときに「マクロ」ボタン２０１ｈが押下されると、表示制御部１４は、表示部１３に設定情報登録名一覧画面（図３０の１１３に相当）を表示する。この一覧画面中の、設定情報登録名が「ファックス−設定１」の「呼出」ボタン（図示せず）が押下されると、設定情報記憶部１６から呼び出された設定情報が表示制御部１４に渡される。
【０１１３】
表示制御部１４は、設定情報登録名が「ファックス−設定１」の設定変更フローに従って、先ず渡された情報の１ページ目の「発信元名」の設定画面（図３１の１０２ｂに相当）を表示し、次に２ページ目の「モデム伝送速度」の設定画面（図３２の１０３ｂに相当）を表示部１３に表示し、次に３ページ目の「接続待ち時間」の設定画面（図３３の１０４ｂに相当）を表示部１３に表示する。
【０１１４】
ユーザーは、各設定画面が表示されている段階で、設定値を再変更することが可能となる。その後、変更マーク付与処理が行われるが、この処理は前記した図１６のシーケンス図の処理番号Ｆ２１６〜Ｆ２１９の処理内容に基づいて処理されるものである。ユーザーは、以上の各設定を終了した後、オペレーションパネルのスタートキー１５ｉを押下することで、各上記した設定に基づく画像形成装置１によるファックス処理を実行する。
【０１１５】
（変形例３）
変形例３では、画像形成装置１が有する機能の内、Ｅ−メールキー１５ｍ（図２）を押下してのＥ−メール機能動作時の、設定情報の登録及び呼び出しについて説明する。
【０１１６】
設定情報記憶部１６は、画像形成装置１が有する各機能の条件を設定項目として設け、それぞれの設定項目の各設定値とデフォルト値を記憶している。表４は、Ｅ−メール機能に関して記憶されている内容を示している。
【０１１７】
【表４】
2018207188.tif 000006
【０１１８】
このＥ−メール機能動作時においても、その設定変更動作手順は、図１１、図１２に示すコピー機能動作時のフローチャートで示す手順と同様の内容で実施される。即ち、図２に示すオペレーションパネル１１のＥ−メールキー１５ｍを押下することによって、表示部１３にＥ−メール待機画面（図１７の１０１に相当）が表示される。但し、ここでは、コピー待機画面１０１に対して、「コピー」表示が「Ｅ−メール」とされ、「給紙トレイ」ボタン２０１ｂ等に代わって、表４の各設定項目に該当するボタンが配置される。
【０１１９】
ここで、例えば表４に示す設定項目「ファイル名」に相当する「ファイル名」ボタン（図示せず）を押下することによって、ファイル名設定画面（図１８の１０２に相当）が表示される。但し給紙トレイ設定画面１０２に対して「トレイ」表示は「ファイル名」とされ、「トレイ１（Ａ４）」のボタン等に代わって、例えばファイル名入力エリアとファイル名入力に必要なソフトキーボード画面が配置される。ここでアイコンボタン（図１８の２０２ａに相当）の押下により、Ｅ−メール機能のファイル名設定画面（図１８の１０２に相当）の設定画面情報を設定変更画面として設定変更画面キュー１７ａ（図１）に格納する。  
【０１２０】
ファイル名設定画面（図１８の１０２に相当）において、設定値をデフォルト値（表３参照）の「空白」から入力した任意のファイル名に変更し、表示部１３に表示されているファイル名設定画面を、変更後のファイル名設定画面に更新する。そして、そのファイル名設定画面（図２１の１０２ａに相当）の［ＯＫ］ボタン２０２ｅが押下されると、表示制御部１４は、設定情報記憶部１６からＥ−メール機能の各設定項目のデフォルト設定値を取得して、表示制御部１４で一時的に保持している設定値と比較し、デフォルト値と異なる設定項目を特定し、Ｅ−メール待機画面（図１７の１０１に相当）に対して、特定した設定項目（ファイル名）のボタンに変更マーク２０１ｄを付与したＥ−メール待機画面（図２２の１０１ａに相当）に更新する。
【０１２１】
以下同様にして、表４に示す設定項目「ファイル名」の空白欄にファイル名を入力し、「メール編集定型文」の空白欄に「件名」及び「本文編集」を入力し、「返信先」の空白欄に返信先名を入力し、それぞれの画面を設定変更画面とする設定変更指定により変更処理し、設定項目「チェックメッセージ印刷」を「オン」から「オフ」に、設定変更指定なしで変更処理したものとする。  
【０１２２】
この場合、設定変更の済んだＥ−メール待機画面（図２３の１０１ｃに相当）が表示部１３に表示されているときに、「設定情報を登録」ボタン２０１ｇを押下すると、設定変更指定された設定画面のみを順次表示し、設定変更可能とするマクロを実行する設定変更フローと、対応する設定値情報とを設定情報として、設定情報登録名、例えば「メール−設定１」を付して設定情報記憶部１６に登録する（図５参照）。
【０１２３】
登録済みの設定変更フローを所有する設定情報を呼び出す動作については、図１６のシーケンス図で説明した設定情報登録名が「特殊コピー」の場合と同様に処理される。
【０１２４】
表示部１３にＥ−メール待機画面（図２９の１０１に相当）が表示されているときに「マクロ」ボタン２０１ｈが押下されると、表示制御部１４は、表示部１３に設定情報登録名一覧画面（図３０の１１３に相当）を表示する。この一覧画面中の、設定情報登録名が「メール−設定１」の「呼出」ボタン（図示せず）が押下されると、設定情報記憶部１６から呼び出された設定情報が表示制御部１４に渡される。
【０１２５】
表示制御部１４は、設定情報登録名が「メール−設定１」の設定変更フローに従って、先ず渡された情報の１ページ目の「ファイル名」の設定画面（図３１の１０２ｂに相当）を表示し、次に２ページ目の「メール編集定型文」の設定画面（図３２の１０３ｂに相当）を表示部１３に表示し、次に３ページ目の「返信先」の設定画面（図３３の１０４ｂに相当）を表示部１３に表示する。
【０１２６】
ユーザーは、各設定画面が表示されている段階で、設定値を再変更することが可能となる。その後、変更マーク付与処理が行われるが、この処理は前記した図１６のシーケンス図の処理番号Ｆ２１６〜Ｆ２１９の処理内容に基づいて処理されるものである。ユーザーは、以上の各設定を終了した後、オペレーションパネルのスタートキー１５ｉを押下することで、各上記した設定に基づく画像形成装置１によるＥ−メール送信処理を実行する。
【０１２７】
尚、上記した本実施の形態及びその変形例１〜３では、コピー機能、スキャン機能、ファックス機能、Ｅ−メール機能の各機能において、個別に、それぞれの機能に属した設定項目に基づいてマクロを実行し、続いて該当する機能処理を実行する例を示したが、本発明は、これに限定されるものではない。
【０１２８】
例えば、変形例１で説明したスキャン機能で、設定情報登録名が「スキャン−設定１」のマクロを実行した後、続けて変形例３で説明したＥ−メール機能で、設定情報登録名が「メール−設定１」のマクロを実行して各設定値を確定した後、スキャン処理とＥ−メール送信処理を連続して処理するようにしてもよいなど、種々の態様を取り得るものである。
【０１２９】
以上のように、本実施の形態の画像形成装置１によれば、多くの設定項目の中から、予め選択した再設定の可能性の高い設定項目の各設定画面のみを、マクロにより順次表示して再設定可能とするので、再設定を含む各設定項目の設定時の煩雑さを解消することが出来る。
【産業上の利用可能性】
【０１３０】
前記した実施の形態では、本願発明を画像形成装置に採用した例を示したが、これに限定されるものではなく、設定情報を有する機器全般に適用可能である。
【符号の説明】
【０１３１】
１  画像形成装置、  １１  オペレーションパネル、  １２  タッチパネル、  １３  表示部、  １４  表示制御部、  １５  操作部、  １５ａ  ホームキー、  １５ｂ  コピーキー、  １５ｃ  スキャンキー、  １５ｄ  プリントキー、  １５ｅ  ファックスキー、  １５ｆ  テンキー、  １５ｇ  クリアキー、  １５ｈ  ステータスキー、  １５ｉ  スタートキー、  １５ｊ  ストップキー、  １５ｋ  パワーセーブキー、  １５ｌ  パワーキー、  １５ｍ  Ｅ−メールキー、  １６  設定情報記憶部、  １７  設定変更指定部、  １７ａ  設定変更画面キュー、  １８  設定情報読出部、  １９  設定変更フロー作成部、  ２０  読取部、  ２１  画像メモリ、  ２２  印刷部、  ２３  送受信部、  ２４  制御部、  ２５  ＲＡＭ、  ２６  ＲＯＭ、  ２７  ＣＰＵ、  ２８  共通バス、  １０１  コピー待機画面、  １０１ａ  コピー待機画面、  １０１ｂ  コピー待機画面、  １０１ｃ  コピー待機画面、  １０２  給紙トレイ設定画面、  １０２ａ  給紙トレイ設定画面、  １０２ｂ  給紙トレイ設定画面、  １０３  トレイ２用紙サイズ設定画面、  １０３ａ  トレイ２用紙サイズ設定画面、  １０３ｂ  トレイ２用紙サイズ設定画面、  １０４  拡大／縮小設定画面、  １０４ａ  拡大／縮小設定画面、  １０４ｂ  拡大／縮小設定画面、  １０４ｃ  拡大／縮小設定画面、  １０５ａ  第１の登録確認画面、  １０５ｂ  第２の登録確認画面、  １１０  受付完了画面、  １１１  ソフトキーボード画面、  １１２  登録完了画面、  １１３  設定情報登録名一覧画面、  ２０１ｂ  「給紙トレイ」ボタン、  ２０１ｃ  「機器設定」ボタン、  ２０１ｄ  変更マーク、  ２０１ｅ  「読取サイズ」ボタン、  ２０１ｆ  「拡大／縮小」ボタン、  ２０１ｇ  「設定情報を登録」ボタン、  ２０１ｈ  「マクロ」ボタン、  ２０２ａ  アイコンボタン、  ２０２ｂ  ページ表示（１／３）、  ２０２ｃ  「次へ」ボタン、  ２０２ｄ  「ＯＫ」ボタン、  ２０３ａ  アイコンボタン、  ２０３ｂ  ページ表示（２／３）、  ２０３ｃ  「次へ」ボタン、  ２０３ｄ  「戻る」ボタン、  ２０４ａ  アイコンボタン、  ２０４ｂ  ページ表示（３／３）、  ２０４ｃ  「次へ」ボタン、  ２０４ｄ  「戻る」ボタン、  ２０４ｅ  「ＯＫ」ボタン、  ２０４ｆ  「▲」ボタン、  ２０４ｇ  倍率表示部、  ２０５ａ  「はい」ボタン、  ２０５ｂ  「いいえ」ボタン、  ２０５ｄ  変更マーク、  ２１１ａ  「ＯＫ」ボタン、  ２１３ａ  「呼出」ボタン。
【図１】
2018207188.tif 000007
【図２】
2018207188.tif 000008
【図３】
2018207188.tif 000009
【図４】
2018207188.tif 000010
【図５】
2018207188.tif 000011
【図６】
2018207188.tif 000012
【図７】
2018207188.tif 000013
【図８】
2018207188.tif 000014
【図９】
2018207188.tif 000015
【図１０】
2018207188.tif 000016
【図１１】
2018207188.tif 000017
【図１２】
2018207188.tif 000018
【図１３】
2018207188.tif 000019
【図１４】
2018207188.tif 000020
【図１５】
2018207188.tif 000021
【図１６】
2018207188.tif 000022
【図１７】
2018207188.tif 000023
【図１８】
2018207188.tif 000024
【図１９】
2018207188.tif 000025
【図２０】
2018207188.tif 000026
【図２１】
2018207188.tif 000027
【図２２】
2018207188.tif 000028
【図２３】
2018207188.tif 000029
【図２４】
2018207188.tif 000030
【図２５】
2018207188.tif 000031
【図２６】
2018207188.tif 000032
【図２７】
2018207188.tif 000033
【図２８】
2018207188.tif 000034
【図２９】
2018207188.tif 000035
【図３０】
2018207188.tif 000036
【図３１】
2018207188.tif 000037
【図３２】
2018207188.tif 000038
【図３３】
2018207188.tif 000039
【図３４】
2018207188.tif 000040
【図３５】
2018207188.tif 000041
【図３６】
2018207188.tif 000042